(57)【要約】【課題】  普段はハンカチやハンドタオルとして形態して使用し、緊急時にマスクとして簡単に変形し容易に対応できるマスク兼用ハンカチを提供する。【解決手段】  吸水性を有する所要大きさの四角形状ハンカチ地１の裏面中央部に対向する両側端部間にわたり所要幅のマスク用ガーゼ地４を配し、該ガーゼ地４の両側端部ならびに長さ方向上下両辺のうち、一方側部を前記ハンカチ部１に縫着５，５′してポケット部Ｐを形成し、該ポケット部内の両側に耳掛け紐６を取り付けマスク兼用ハンカチとした。【選択図】    図２
0003156341.tif 000002
【実用新案登録請求の範囲】
【請求項１】
吸水性を有する所要大きさの四角形状ハンカチ地１の裏面中央部に対向する両側端部間にわたり所要幅のマスク用ガーゼ地を配し、該ガーゼ地の両側端部ならびに長さ方向の上下辺のうち一方側部を前記ハンカチ地に縫着してポケット部に形成し、該ポケット部内の両側に耳掛け紐を取り付けてなることを特徴とするマスク兼用ハンカチ。
【請求項２】
ハンカチ地がガーゼ地を表面側，無撚糸パイルのタオル生地を裏面側とする２重生地である請求項１記載のマスク兼用ハンカチ。
【請求項３】
ハンカチ地表面にプリントによる模様柄を施した請求項１または２記載のマスク兼用ハンカチ。
【考案の詳細な説明】
【技術分野】
【０００１】
本考案は普段、携帯されているハンカチやハンドタオル（以後、総称してハンカチと略記する）にマスクの機能を持たせたマスク兼用ハンカチに関するものである。
【背景技術】
【０００２】
近時、インフルエンザなどが流行し、広くマスクの需要が高まっているが、現在、使用されているマスクは昔からあるガーゼを重ねたタイプや不織布を用いたものが多く、しかもこれらは真っ白なものや薄いカラー１色のものが殆どであって、デザイン性がなく、また、マスク単体として携帯しなければならないので、格好が悪く、かさばることになり、マスクを付けない人が多い。
【０００３】
そこで、抵抗無く携帯し、かつ緊急時に対応できるよう、普段ハンカチとして使用しているが、緊急時にマスクとして使用できる、いわゆるマスクになるハンカチとして四角形状のハンカチの両対角に耳が通るだけの穴を開けたもの（例えば特許文献１参照）や、ハンカチ本体の左右両側縁に取出口をあけた紐通し部を設け同じ長さの紐を内設したもの（例えば特許文献２参照）あるいはハンカチを折り畳んで、折り畳んだハンカチがマスクとして耳に掛けることができる位置にゴム紐を取り付け、このゴム紐を小袋に収納しておく構造のもの（例えば特許文献３参照）などが提案されている。
【先行技術文献】
【特許文献】
【０００４】
【特許文献１】実開平２−７４３０７号公報
【特許文献２】実開平２−１１５５０７号公報
【特許文献３】実用新案登録第３１０５１７号公報
【考案の概要】
【考案が解決しようとする課題】
【０００５】
しかし、上記提案に係るマスクにもなるハンカチは、何れもハンカチを折り畳んでマスクに使用できるとしても、ハンカチの両対角に穴を開けたり、ハンカチ本体の両側部に紐通し部を設けたり、折り畳んだハンカチがマスクとして耳に掛けることができる位置にゴム紐を取り付けたり、何れもハンカチ本体自体の外観に関連してハンカチとしての体裁を阻害し、デザイン性も充分でなかった。
【０００６】
本考案は上述の如き実状に鑑み、携帯し易く緊急時に容易に対応可能で、かつデザイン性もあるマスク兼用ハンカチを見出すことにより普段より抵抗なく携帯し、しかも緊急時に直ちにマスクとして対応可能でインフルエンザなどの流行に即応できるようにすることを目的とするものである。
【課題を解決するための手段】
【０００７】
即ち、上記目的に適合する本考案は、吸水性を有する所要大きさの四角形状ハンカチ地の裏面中央部に対向する両側端間にわたり所要幅のマスク用ガーゼ地を配置し、該ガーゼ地の両側端部ならびに長さ方向の上下辺のうち、一方側部を前記ハンカチ地に縫着してポケット部に形成し、該ポケット部内の両側に耳掛け紐を取り付けてなるマスク兼用ハンカチよりなる。なお、ハンカチ地としてはガーゼ地を表面側、無撚糸パイルのタオル生地を裏面側とする２重生地が好ましく、また、ハンカチ表面にプリント等を施し、模様柄を顕出するときはデザイン性もあり好適である。
【考案の効果】
【０００８】
本考案は以上のような構成を有してなり、普段はハンカチとして携帯使用し得ると共に、マスクを着用する必要が生じたときは裏面に縫い付け作成したポケット部のガーゼをハンカチの片半部と共に中と外を入れ替えるようにひっくり返し、更にひっくり返した後に残っているハンカチの半部をポケットの中に収まるように折り込むことによってマスクに完成し、同時に外に出てくるポケット内側に縫い込んであった耳掛け紐を耳に掛けて使用することができるので、特にハンカチ単体あるいはマスク単体で夫々、携帯することなく頗る便利である。なお、ハンカチの一面にプリント柄を施すときはデザイン性もあり、好適である。
【図面の簡単な説明】
【０００９】
【図１】本考案マスク兼用ハンカチの表面図である。
【図２】本考案マスク兼用ハンカチの裏面図である。
【図３】図１のＸーＸ線に沿う縦断面図である。
【図４】ポケット部を折り返した状態を示す表面図である。
【図５】図４の折り返した状態のＹ−Ｙ断面図である。
【図６】マスクとして完成した状態の正面図である。
【考案を実施するための形態】
【００１０】
以下、更に添付図面にもとづいて本考案の具体的実施形態を説明する。図１は本考案マスク兼用ハンカチの表面図、図２は同裏面図であり、これら図において１はハンカチ地を示し、所要大きさの四角形状をなして形成されており、通常、吸水性を有する素材生地、例えば表面側がガーゼ地，裏面側が無撚糸パイルのタオル生地の２重生地によって作られ、周囲にかがり縫いが施されて縫着２されていると共に、表面側ガーゼ地の表面に適宜、プリント等により模様柄３が付与されている。勿論、上記ハンカチ地は上述の２重生地に限られるものではなく、通常の織布などによる生地の使用も可能である。
【００１１】
しかして、本考案は上記の如き四角形状のハンカチ地において、特にマスク兼用とするための構成として上記ハンカチ地１の裏面中央部に図２に示す如く所要幅のガーゼ地４がハンカチ地１の対向する両側端にわたり配置されて、その両側端部がハンカチ地１裏面の対向する両側端に夫々、縫着５′されていると共に、長さ方向上下辺のうち、一方側、図において下辺側が前記ハンカチ地１に縫着５されて図３に示す如くポケット部Ｐを形成している。
【００１２】
本考案は上記の如くハンカチ地１の裏面中央部にポケット部Ｐを縫い付けにより形成しているが、このときガーゼ地４と一緒にマスク状態にしたときに耳に引っ掛けるための耳掛け用ゴム紐６を縫い込みによりポケット部内部に取り付けておく。この耳掛け紐６は通常、ハンカチとして使用するときは裏面中央部のポケット部Ｐ内部の両側に内蔵されて外部に現れることはない。
【００１３】
次に上記本考案ハンカチの使用態様について説明すると、先ず図３に示すように裏面に縫い付けてあるポケット部Ｐのガーゼ地４を矢示の如く中と外を入れ替えるようにひっくり返す。このとき下部側のハンカチ地１も同時にひっくり返され、ひっくり返されたポケット部Ｐのガーゼ地４の内面に配置されて図４及び図５に示す状態となる。なお、一方のハンカチ上部側はひっくり返されたポケット部Ｐの上部に図４に示すように残っている。
【００１４】
そこで、次にこのひっくり返した後に残っている上記ハンカチ地の上部側をポケット部Ｐの中に収まるように折り込むことにより図６に示す如き、両側に耳掛け紐６を備えたガーゼ地によるマスクが完成する。
【００１５】
以上のようにして通常時はハンカチあるいはハンドタオルとして携帯し、使用すると共に、マスクが必要となったときは裏面中央部のポケット部をひっくり返すことにより簡単にマスクとして形成し、緊急時な対応することができる。なお、ハンカチ地の片面にプリント等により模様を付しておけばデザイン性もあり効果的である。
【符号の説明】
【００１６】
Ｐ：ポケット部
１：ハンカチ地
２：縫着部
３：模様柄
４：マスク用ガーゼ地
５，５′：マスク用ガーゼ地の縫着部
６：耳掛け紐
【図１】
0003156341.tif 000003
【図２】
0003156341.tif 000004
【図３】
0003156341.tif 000005
【図４】
0003156341.tif 000006
【図５】
0003156341.tif 000007
【図６】
0003156341.tif 000008